(57)【要約】【課題】高圧放電灯の寿命末期時に予見される外管内放電状態が継続することを回避する。【解決手段】少なくとも限流要素を含む安定器３と、高圧パルス電圧を発生する高圧パルス発生回路４とを備え、外管内が略真空である高圧放電灯２を点灯せしめる放電灯点灯装置において、放電灯２の点灯／不点灯を判別する点灯判別手段８と、所定の時間を設定するタイマー回路９と、前記パルス電圧の発生を停止するパルス停止制御手段１０とを備え、前記点灯判別手段８で点灯を判別した後に不点灯を判別した場合、前記タイマー回路９の設定した時間内は高圧パルス電圧の発生を停止するようにした。【選択図】図１
2005142130.tif 000002
【特許請求の範囲】
【請求項１】
少なくとも限流要素を含む安定器と、高圧パルス電圧を発生する高圧パルス発生回路とを備え、外管内が略真空である高圧放電灯を点灯せしめる放電灯点灯装置において、放電灯の点灯／不点灯を判別する点灯判別手段と、所定の時間を設定するタイマー回路と、前記パルス電圧の発生を停止するパルス停止制御手段とを備え、前記点灯判別手段で点灯を判別した後に不点灯を判別した場合、前記タイマー回路の設定した時間内は高圧パルス電圧の発生を停止するようにしたことを特徴とする高圧放電灯点灯装置。
【請求項２】
請求項１記載の放電灯点灯装置において、前記タイマー回路の設定時間は、放電灯外管内で且つ密閉された発光管内以外の金属部の温度が、前記金属部の異極間で少なくとも放電が発生し得ない温度まで冷却する時間であることを特徴とする高圧放電灯点灯装置。
【請求項３】
少なくとも限流要素を含む安定器と、高圧パルス電圧を発生する高圧パルス発生回路とを備え、外管内が略真空である高圧放電灯を点灯せしめる放電灯点灯装置において、放電灯の半波放電を検出する半波放電検出手段と、前記パルス電圧の発生を停止するパルス停止制御手段とを備え、前記半波放電検出手段で半波放電を検出した場合、前記パルス停止制御手段により高圧パルス電圧の発生を停止するようにしたことを特徴とする高圧放電灯点灯装置。
【請求項４】
請求項３記載の放電灯点灯装置において、所定の時間を設定するタイマー回路を備え、前記半波放電検出手段で半波放電を検出した場合、前記タイマー回路の設定した時間内は高圧パルス電圧の発生を停止するようにしたことを特徴とする高圧放電灯点灯装置。
【請求項５】
請求項４記載の放電灯点灯装置において、前記タイマー回路の設定時間は、放電灯外管内で且つ密閉された発光管内以外の金属部の温度が、前記金属部の異極間で少なくとも放電が発生し得ない温度まで冷却する時間であることを特徴とする高圧放電灯点灯装置。
【請求項６】
請求項３〜５のいずれかに記載の放電灯点灯装置において、半波放電検出手段は、ランプ波形の半周期ごとの差分を検出し、その値が所定値を越えた場合に半波放電と判別することを特徴とする高圧放電灯点灯装置。
【請求項７】
少なくとも限流要素を含む安定器と、高圧パルス電圧を発生する高圧パルス発生回路とを備え、外管内が略真空である高圧放電灯を点灯せしめる放電灯点灯装置において、所定の時間を設定するタイマー回路と、異常温度上昇を検知して放電灯への電力供給を遮断する復帰型の遮断手段と、遮断したことを検出する遮断検出手段とを備え、前記遮断検出手段で遮断したことを検出した場合、前記タイマー回路の設定した時間内は高圧パルス電圧の発生を停止するようにしたことを特徴とする高圧放電灯点灯装置。
【請求項８】
請求項７記載の放電灯点灯装置において、前記タイマー回路の設定時間は、放電灯外管内で且つ密閉された発光管内以外の金属部の温度が、前記金属部の異極間で少なくとも放電が発生し得ない温度まで冷却する温度であることを特徴とする高圧放電灯点灯装置。
【請求項９】
請求項７又は８記載の放電灯点灯装置において、復帰型の遮断手段はサーマルプロテクタであることを特徴とする高圧放電灯点灯装置。
【請求項１０】
請求項１〜９のいずれかに記載の放電灯点灯装置において、少なくとも点灯判別手段または半波放電検出手段または遮断検出手段は、電源遮断によりリセットされることを特徴とする高圧放電灯点灯装置。
【請求項１１】
請求項１、２、４〜１０のいずれかに記載の放電灯点灯装置において、少なくとも前記タイマー回路にマイコンを用いたことを特徴とする高圧放電灯点灯装置。
【請求項１２】
請求項１〜１１のいずれかに記載の高圧放電灯点灯装置を搭載したことを特徴とする照明器具。
【発明の詳細な説明】
【技術分野】
【０００１】
本発明は高圧放電灯を点灯させるための放電灯点灯装置及びこれを用いた照明器具に関するものである。
【背景技術】
【０００２】
一般に、この種の放電灯点灯装置では、高圧放電灯を始動させるために、高圧パルスをランプに印加する高圧パルス発生回路を備えている。その一例を図５に示す。図中、１は交流電源、２は高圧放電灯、３は安定器、４は高圧パルス発生回路、５はパルストランス、６はコンデンサ、７はスイッチング素子である。スイッチング素子７がオフ状態からオン状態に変化すると、コンデンサ６を介してパルストランス５の１次巻線Ｎ１にパルス状の電流が流れるので、パルストランス５の２次巻線Ｎ２にパルス状の高電圧が発生する。これにより、高圧放電灯２の絶縁が破壊されて、放電が開始する。高圧放電灯２が点灯すると、安定器３を介して交流電源１から高圧放電灯２に電力が供給される。
【０００３】
この種の高圧放電灯は、消灯後直ぐに再点灯させようとすると、ランプ温度が高い状態では発光管内部のガス圧が高くなっており、始動し難い状態となることが知られており、例えば約２０分間始動を試みる必要がある。高圧放電灯２が点灯しないと、スイッチング素子７はオン・オフを繰り返し、高圧パルスの発生を継続する。この高圧パルスを継続して印加し続けることは、ノイズの発生原因となったり、回路素子にストレスを与えることになるので、好ましくない。
【０００４】
そこで、特許文献１（特開平６−２６０２８９号公報）では、点灯継続時間に応じた遅延時間を設定して高圧パルスを印加し、高圧パルスの印加時間を最小限にすることを試みている。
【０００５】
一方、この種の高圧放電灯は寿命末期時には内管（発光管）からガスがリークし、外管内にそのガスが溜まり、高圧パルス印加時に放電灯外管内で発光管を支持する金属部の間で異常放電（以下、外管内放電）する場合がある（図６参照）。この状態は、放電灯の外管ガラス、差込ねじ部（口金部）が高温になり、エネルギー損失を生じる。また、この外管内放電は発光管を支持する金属部の温度が高くなっており、熱電子を放出する熱電子限界温度を超えていることがあるため、この部位での放電がし易い状態になっている。その結果、高圧パルス印加時にこの発光管を支持する金属部の間で放電を開始してしまい、外管内放電という異常放電状態になってしまう。上述の特許文献１の構成では、外管内放電の回避については対策を講じておらず、寿命末期の放電灯が接続された場合は外管内放電へ至る可能性がある。
【０００６】
また、高圧放電灯の寿命末期時に予見される別の異常放電状態として、半波放電が挙げられる。これは高圧放電灯の寿命に伴う片側の電極の劣化によって発生し、この状態においては高圧放電灯に流れるランプ電流は正負非対称となり、片側でほぼ短絡状態、もう一方ではほぼ無負荷状態となる。銅鉄型安定器の場合、直流電流が流れることになり、通常の二次短絡電流の３倍以上の電流が片側極性に流れるため、安定器の劣化の原因となる。その対策として、一般的に温度ヒューズやサーマルプロテクタなどの素子を安定器に追加する方法があるが、温度ヒューズは非復帰型のため、一度でも半波放電のランプが発生すると安定器が使用不可となり、また、サーマルプロテクタは復帰型のため、何回も点灯・不点灯を繰り返すことになり、対策手段としてはあまり好ましくない。
【０００７】
そこで、特許文献２（特開２００２−３５２９６９号公報）では、半波放電を検出した後、安定器から高圧放電灯への電力供給を一旦遮断し、遮断したことを検出する遮断検出手段からの信号により、イグナイタ（高圧パルス発生回路）の動作停止を保持する構成となっている。このような構成によれば、半波放電が生じた場合の安定器の劣化や、高圧放電灯の点灯・不点灯の繰り返しを未然に防ぐことができる。
【０００８】
しかしながら、上記の構成によれば、電力供給の遮断手段が必要となり、例えばサーマルプロテクタやＭＯＳＦＥＴなどパワー系の半導体素子が挙げられるが、これらの素子は一般的に高価・大型であり、安定器の高コスト化、大型化の原因となる。
【特許文献１】特開平６−２６０２８９号公報
【特許文献２】特開２００２−３５２９６９号公報
【発明の開示】
【発明が解決しようとする課題】
【０００９】
本発明は上述のような点に鑑みてなされたものであり、その目的とするところは、高圧放電灯の寿命末期時に予見される外管内放電状態や半波放電状態が継続することを回避する放電灯点灯装置及びこれを搭載する照明器具を提供することにある。
【課題を解決するための手段】
【００１０】
本発明によれば、上記の課題を解決するために、図１に示すように、少なくとも限流要素を含む安定器３と、高圧パルス電圧を発生する高圧パルス発生回路４とを備え、外管内が略真空である高圧放電灯２を点灯せしめる放電灯点灯装置において、放電灯２の点灯／不点灯を判別する点灯判別手段８と、所定の時間を設定するタイマー回路９と、前記パルス電圧の発生を停止するパルス停止制御手段１０とを備え、前記点灯判別手段８で点灯を判別した後に不点灯を判別した場合、前記タイマー回路９の設定した時間内は高圧パルス電圧の発生を停止するようにしたことを特徴とするものである。
【発明の効果】
【００１１】
本発明によれば、高圧放電灯の寿命末期時に外管内放電が発生した際に、正常点灯／異常点灯を判別する判別手段により異常点灯を判別し、その判別後、発光管を支持する金属部の温度が外管内放電が発生し得ない温度まで冷却されるのに要する時間内は高圧パルスの発生を停止させる手段を設けることにより、外管内放電現象が継続することを回避できる。また、請求項３の発明によれば、半波放電を検出したときに安定器から高圧放電灯への電力供給を遮断しなくても、高圧パルス電圧の発生を停止させるだけで、殆どの場合、放電を停止させることができ、異常な放電状態が継続することを防止できる。
【発明を実施するための最良の形態】
【００１２】
図１に本発明の高圧放電灯点灯装置の好ましい実施形態を示す。この実施形態では、高圧放電灯２の両端に点灯判別手段８を接続して、正常点灯／異常点灯を判別可能としている。点灯判別手段８は、高圧放電灯２の寿命末期時に外管内放電が発生した際に、異常点灯であることを判別できる手段であれば、具体的な構成は問わないが、ここではランプ電圧の高／低を判別することで、正常点灯と異常点灯を判別している。高圧放電灯２の両端には、分圧用の抵抗Ｒ１，Ｒ２，Ｒ３の直列回路が並列接続されており、抵抗Ｒ３の両端にはランプ電圧を分圧した交流電圧が印加される。この交流電圧を全波整流器ＤＢ１により全波整流し、その整流出力を電圧応答型スイッチング素子Ｑ１を介して絶縁型信号伝達手段であるフォトカプラＰＣの発光素子に印加している。正常点灯時には、抵抗Ｒ３の両端電圧が電圧応答型スイッチング素子Ｑ１のブレークオーバー電圧を越えないように、分圧抵抗Ｒ１，Ｒ２，Ｒ３の分圧比を設定しておく。ランプ電圧が正常点灯時よりも高いときには電圧応答型スイッチング素子Ｑ１がブレークオーバーすることにより、絶縁型信号伝達手段であるフォトカプラＰＣの発光素子に電流が流れて光信号を発生し、この光信号を受光してフォトカプラＰＣの受光素子が導通することで、点灯判別手段８は異常点灯の判別信号を出力する。
【００１３】
異常点灯と判別された際には、その判別信号をタイマー回路９へ伝達し、所望の遅延時間内はパルス停止制御手段１０により高圧パルス電圧を停止するものである。パルス停止制御手段１０は高圧パルス発生回路４を不作動とするものであれば、具体的な構成は問わないが、ここではスイッチング素子７の両端を短絡することで、高圧パルスの発生を停止させている。すなわち、スイッチング素子７の両端に全波整流器ＤＢ２の交流端子側を接続し、全波整流器ＤＢ２の直流端子側には短絡用のスイッチング素子Ｑ２を接続し、このスイッチング素子Ｑ２をタイマー回路９の出力により所望の遅延時間内はオンさせるようにしている。これにより、スイッチング素子７がオンする瞬間のコンデンサ６の充放電電流がパルス電流として流れることを阻止することができるから、高圧パルスは発生しない。スイッチング素子Ｑ２として、ここではバイポーラトランジスタを用いているが、ＭＯＳＦＥＴを用いても良い。タイマー回路９の遅延時間が経過して、スイッチング素子Ｑ２がオフすると、スイッチング素子７の両端は開放される。スイッチング素子７は電圧応答型のスイッチング素子よりなり、交流電源１の周期的な極性反転により交流電源電圧とコンデンサ６の充電電圧の重畳電圧がスイッチング素子７のブレークオーバー電圧を越えると、スイッチング素子７がオンとなり、このとき、コンデンサ６の充放電電流がパルス電流としてパルストランス５の１次巻線に流れることで、高圧パルスが発生する。
【００１４】
タイマー回路９は、点灯判別手段８で正常点灯を判別した後に異常点灯（不点灯を含む）を判別した場合に、所定の遅延時間内はパルス停止制御手段１０のスイッチング素子Ｑ２をオン状態に維持するように動作する。ここで、正常点灯を判別するには、例えば、定格ランプ電圧以下の状態が約３０秒間継続したときに、正常点灯状態になったと判別することができる。その後、ランプ電圧が定格ランプ電圧よりも異常に高くなれば、外管内放電のような異常点灯状態になった、あるいは、立消えにより不点灯（無負荷状態）となったと判別することができる。そこで、点灯判別手段８の分圧抵抗Ｒ１〜Ｒ３の分圧比を適切に設定し、電源投入後、点灯判別手段８からの異常判別信号（フォトカプラＰＣのオン信号）がタイマー回路９に入力されない状態が約３０秒間継続すると、高圧放電灯２が正常点灯状態になったと判別する。そして、その後、点灯判別手段８からの異常判別信号（フォトカプラＰＣのオン信号）がタイマー回路９に入力されると、タイマー回路９は所定の遅延時間が経過するまで、スイッチング素子Ｑ２にオン信号を出力する。
【００１５】
タイマー回路９の遅延時間は、放電灯外管内の発光管を支持する金属部の温度が熱電子限界温度以下となるような時間に設定されるものであり、放電灯の仕様や点灯装置の放熱構造に応じて異なるが、一般的には約２〜１０分の範囲、より好ましくは、約３〜５分の範囲で最適値（例えば約４分間）に選定する。なお、タイマー回路９の各端子のうち、フォトカプラＰＣの受光素子に接続された端子は入力端子、トランジスタＱ２のベースに接続された端子は出力端子、トランジスタＱ２のエミッタに接続された端子はアース端子、パルストランス５と高圧放電灯２に接続された端子は電源端子である。
【００１６】
上記構成により、高圧放電灯２の正常点灯／異常点灯を判別し、高圧放電灯２の寿命末期時に予見される外管内放電が継続することを防ぐことが出来る。
【００１７】
この例では、点灯判別手段８としては電圧検出により異常点灯を判別する構造を例示したが、カレントトランス等の使用により電流検出により異常点灯を判別する構成とすることも出来る。また、タイマー回路９はマイコン（例；東芝製ＴＭＣ４７Ｃ２４３Ｍ）等を用いて構成することも出来る。
【００１８】
なお、電源を再投入したときには、高圧パルスの発生を再開することが好ましい場合が多いと考えられるので、点灯判別手段の判別出力またはタイマー回路は、電源遮断によりリセットされる（初期状態に戻す）ように構成すると良い。
【実施例１】
【００１９】
図２に本発明の実施例１を示す。この実施例は請求項３、４に対応しており、少なくとも限流要素を含む安定器３と、高圧パルス電圧を発生する高圧パルス発生回路４とを備え、外管内が略真空である高圧放電灯２を点灯せしめる放電灯点灯装置において、放電灯２の半波放電を検出する半波放電検出手段１１と、前記パルス電圧の発生を停止するパルス停止制御手段１０とを備え、前記半波放電検出手段１１で半波放電を検出した場合、前記パルス停止制御手段１０により高圧パルス電圧の発生を停止するようにしたものである。また、所定の時間を設定するタイマー回路９を備え、前記半波放電検出手段１１で半波放電を検出した場合、前記タイマー回路９の設定した時間内は高圧パルス電圧の発生を停止するようにしたものである。
【００２０】
ここで、半波放電検出手段１１は、ランプ波形（ランプ電流又はランプ電圧）の半周期ごとの差分を検出し、その値が所定値を越えた場合に半波放電と判別するものである。本実施例では、高圧放電灯２の両端に半波放電検出手段１１を接続して、半波放電を検出可能としている。上述のように、半波放電現象は、高圧放電灯の寿命に伴う片側の電極の劣化によって発生し、この状態においては高圧放電灯に流れるランプ電流は正負非対称となり、片側でほぼ短絡状態、もう一方ではほぼ無負荷状態となる。したがって、ランプ電流が正負非対称に流れていることを検出することで半波放電を判別できるが、図２の回路では、ランプ電圧が正負非対称となることを検出することで半波放電を判別している。すなわち、一方の極性では高圧放電灯２はほぼ短絡状態となるので、ランプ電圧は低くなり、もう一方の極性では高圧放電灯２はほぼ無負荷状態となるので、ランプ電圧は高くなるから、この状態の継続を判別することにより、半波放電を判別している。
【００２１】
具体的には、高圧放電灯２の両端に分圧用の抵抗Ｒ１，Ｒ２，Ｒ３の直列回路を並列接続し、抵抗Ｒ３の両端電圧を全波整流器ＤＢ１により全波整流し、小容量のコンデンサＣ１により平滑して、コンデンサＣ１で平滑した電圧波形をカウンタ回路１２へ入力する。コンデンサＣ１の容量とその放電抵抗（図示せず）の時定数は交流電源１の周期よりも短く設定されており、半波放電の場合、カウンタ回路１２の入力波形は図３のようなパルス状となり、カウンタ回路１２でパルス数をカウントする。カウント数の合計が所定回数に達すると、半波放電と判別され、タイマー回路９へ異常判別信号を伝達し、所望の遅延時間内はパルス停止制御手段１０により高圧パルス電圧を停止するものである。
【００２２】
本発明者らの検討によれば、半波放電する高圧放電灯の場合、半波放電した際にパルス印加を停止することにより殆どの放電灯は点灯を維持できずに立消えすることが判明した。したがって、上記構成により、高圧放電灯の寿命末期時に予見される半波放電現象が継続することを防ぐことができる。
【００２３】
この例では、半波放電検出手段として電圧検出を用いているが、カレントトランス等の使用により電流検出により構成することも出来る。また、タイマー回路９としてはマイコン（例；東芝製ＴＭＣ４７Ｃ２４３Ｍ）等を用いて構成することも出来る。
【００２４】
なお、電源を再投入したときには、高圧パルスの発生を再開することが好ましい場合が多いと考えられるので、半波放電検出手段の検出出力またはタイマー回路は、電源遮断によりリセットされるように構成すると良い。
【実施例２】
【００２５】
図４に本発明の実施例２を示す。この実施例は請求項７に対応しており、少なくとも限流要素を含む安定器３と、高圧パルス電圧を発生する高圧パルス発生回路４とを備え、外管内が略真空である高圧放電灯２を点灯せしめる放電灯点灯装置において、所定の時間を設定するタイマー回路９と、異常温度上昇を検知して放電灯への電力供給を遮断する復帰型の感温遮断手段１３と、遮断したことを検出する遮断検出手段８ａ，８ｂとを備え、前記遮断検出手段８ａ，８ｂで遮断したことを検出した場合、前記タイマー回路９の設定した時間内は高圧パルス電圧の発生を停止するようにしたものである。
【００２６】
本実施例では、感温遮断手段１３によりパルストランス５の温度をモニターしている。この感温遮断手段１３は、サーマルプロテクタのような自動復帰型の温度検出／遮断手段であり、検出温度の異常上昇を検出すると通電を遮断すると共に、検出温度が低下すると自動復帰して通電を再開する機能を有している。
【００２７】
感温遮断手段１３が一旦遮断状態になると、その後、自動復帰して通電を再開しても、タイマー回路９により所望の遅延時間内はパルス停止制御手段１０により高圧パルス電圧を停止する。ここで、タイマー回路９の遅延時間は、サーマルプロテクタの自動復帰に要する時間よりも長く設定されていることにより、頻繁に点灯・不点灯を繰り返すことはなく、また、再点灯時には、放電灯外管内の発光管を支持する金属部の温度が熱電子限界温度以下となっていることにより、異常放電状態が継続することは防止できる。
【００２８】
ところで、サーマルプロテクタのような感温遮断手段１３は、例えばバイメタル接点のように、周囲温度が異常に上昇するとバイメタルの変形により接点が開き、周囲温度が低下すると、バイメタルの復元により接点が閉じる、という単純な機構を用いている場合が多く、遮断状態となったことを外部に伝達する信号出力端子は備えていない。そこで、感温遮断手段１３が異常温度を検出して遮断状態となったときに、タイマー回路９を起動させるために、本実施例では、遮断検出手段８ａ，８ｂを設けている。この遮断検出手段８ａ，８ｂの構成は、図１で説明した点灯判別手段８と同様の構成を有しており、分圧抵抗Ｒ１〜Ｒ３に印加される交流電圧が高いときにはフォトカプラＰＣを介してタイマー回路９に異常判別信号を伝達するものである。
【００２９】
まず、パルストランス５の温度状態が正常温度範囲であるときには、サーマルプロテクタのような感温遮断手段１３は導通状態であり、遮断検出手段８ａの電圧応答型のスイッチング素子Ｑ１はオフ状態である。
【００３０】
次に、パルストランス５の温度状態が異常温度範囲になると、サーマルプロテクタのような感温遮断手段１３は非導通状態となり、放電灯２は消灯する。このとき、交流電源１から安定器３、分圧抵抗Ｒ１，Ｒ２，Ｒ３、パルストランス５の１次巻線、２次巻線、タイマー回路９の電源端子、アース端子、全波整流器ＤＢ２のダイオードを介して交流電源１に戻る経路で電圧が印加され、抵抗Ｒ３の両端電圧が上昇し、電圧応答型のスイッチング素子Ｑ１がオンすることで、絶縁型信号伝達手段であるフォトカプラＰＣを介してタイマー回路９に異常判別信号が伝達される。これにより、タイマー回路９は動作を開始し、所望の遅延時間内はパルス停止制御手段１０により高圧パルスの発生を停止させる。この遅延時間は上述のように約３〜５分程度に設定され、放電灯外管内の発光管を支持する金属部の温度が熱電子限界温度以下となるまでの間は高圧パルスが発生することはない。
【００３１】
なお、パルストランス５の温度状態が正常温度範囲に戻ると、サーマルプロテクタのような感温遮断手段１３は導通状態に戻るが、そのときには既にタイマー回路９が動作を開始しているので、パルス停止制御手段１０のスイッチング素子Ｑ２がオン状態に維持されている間は高圧パルスが発生しないから、放電灯２は点灯しない。また、感温遮断手段１３の遮断状態が解除されて導通状態に戻ることにより、遮断検出手段８ａ，８ｂは異常判別信号の発生を停止するが、タイマー回路９は既に計時動作を開始しているので、パルス停止制御手段１０のスイッチング素子Ｑ２はオン状態に維持されたままとなる。
【００３２】
その後、タイマー回路９が計時動作を終了し、上述の遅延時間（約３〜５分程度）が経過すると、パルス停止制御手段１０のスイッチング素子Ｑ２がオフ状態となり、高圧パルス発生回路４は高圧パルスを発生可能となるが、このときには、既に放電灯外管内の発光管を支持する金属部の温度が熱電子限界温度以下となっているので、高圧放電灯の寿命末期時に予見される外管内放電が継続することを防ぐことが出来る。
【００３３】
ここでは、感温遮断手段１３としてサーマルプロテクタを用いる場合を例示したが、例えば、非線形の正温度特性を有するサーミスタのように、キュリー点を越えると急激に抵抗が高くなるような抵抗素子を感温遮断手段１３として用いても良い。
【００３４】
また、遮断検出手段８ａ，８ｂとして、電圧検出により遮断検出する構成を例示したが、カレントトランス等の使用により電流検出により遮断検出する構成としても良い。また、タイマー回路９としてはマイコン（例；東芝製ＴＭＣ４７Ｃ２４３Ｍ）等を用いて構成することも出来る。
【００３５】
なお、電源を再投入したときには、高圧パルスの発生を再開することが好ましい場合が多いと考えられるので、遮断検出手段の検出出力またはタイマー回路は、電源遮断によりリセットされるように構成すると良い。
【００３６】
図１、図２、図４のタイマー回路９は、最初に異常判別信号が入力されてから所望の遅延時間を計時するものとして説明したが、最後に異常判別信号が入力されてから所望の遅延時間を計時するような、リトリガブルなタイマー回路としても良い。
【００３７】
図６は本発明の点灯装置により点灯される高圧放電灯の構造を例示する説明図である。図中、２は高圧放電灯、２１は外管、２２は発光管（内管）、２３，２４は異極の金属部、２５はステム（ガラス製）、２６は口金部（差込ねじ部）である。外管２１内は略真空となっており、万一、発光管（内管）２２が割れても高圧の放電ガスは外管２１内の真空状態で希釈されることにより外管２１まで割れることはない。その反面、寿命末期に発光管（内管）２２から放電ガスがスローリークすると、外管２１内に漏れ出した放電ガスにより金属部２３，２４の間で放電可能な状態となる。本発明はこのような構造の高圧放電灯を点灯させたときに、寿命末期に外管内放電が継続することを防止できるものである。
【００３８】
このような高圧放電灯を光源とする照明器具の構造は特に図示しないが、例えば、高圧放電灯２の外管２１の背後に配置されて配光特性を決定する反射板と、高圧放電灯２の外管２１の前方に配置されるグローブと、高圧放電灯２の口金部（差込ねじ部）２６を装着されるソケットと、このソケットと交流電源１の間に設けられる前記いずれかの点灯装置（図１、図２、図４）とを備えるものである。
【産業上の利用可能性】
【００３９】
本発明は、高圧放電灯を用いた照明器具、例えば、施設用照明器具や街路灯などに利用することができる。
【図面の簡単な説明】
【００４０】
【図１】本発明を実施するための最良の形態を示す回路図である。
【図２】本発明の実施例１の回路図である。
【図３】本発明の実施例１の動作説明のための波形図である。
【図４】本発明の実施例２の回路図である。
【図５】従来例の回路図である。
【図６】高圧放電灯の構造を示す説明図である。
【符号の説明】
【００４１】
１    電源
２    高圧放電灯
３    安定器
４    高圧パルス発生回路
８    点灯判別手段
９    タイマー回路
１０  パルス停止制御手段
【図１】
2005142130.tif 000003
【図２】
2005142130.tif 000004
【図３】
2005142130.tif 000005
【図４】
2005142130.tif 000006
【図５】
2005142130.tif 000007
【図６】
2005142130.tif 000008